(57)【要約】      （修正有）【課題】飼育の際、ペットが繋留されていない状態の運動に近づけるために、移動範囲を制限する誘導管を地形に合わせて、多様に敷設することができる繋留補助具を提供する。【解決手段】地表と平行に見た上方に一定の幅の溝１ａを設けた直線状・曲線状の誘導管と、同様に溝１ａを設けた誘導管を接続するＴ字型２ａ・Ｘ字型２ｂ・Ｉ字型、４５度２ｄのような１８０度以下の屈曲型の接続ソケットを、地形の起伏に合わせて接続角度を変えて組み合わせることにより、対角を結び、それを地中に２分の１程度埋設する。そして誘導管及びソケットを複数本の杭にて地面に固定する。更に管の内部には、溝１ａを移動させるべく、一端にペットの体を繋ぎとめる繋留紐を接続できるフック４ａを設け、他端には、管の内径よりも小さく、かつ、溝１ａの幅よりも直径の大きな球状の物体を付した、円柱状の軸のコマを入れ、ペットにけん引させるように構成する。【選択図】図１
0003153098.tif 000002
【実用新案登録請求の範囲】
【請求項１】
一定の幅で上部に溝（１ａ）を設けた直線・曲線状の誘導管（１）と、これを互いに接続するソケット（２）、誘導管（１）と接続ソケット（２）を地面（５）に固定する杭（３）、誘導管（１）の溝（１ａ）を、ペットにけん引させることにより移動させるコマ（４）を用いることで、対角となる管（１）を互いに結ぶというような行動範囲を多様に設定することができるペット繋留補助具。
【請求項２】
誘導管（１）に対してソケット（２）の接続角度を変えることにより、地形の起伏に合わせてペットの行動範囲を設けることができる。
【請求項３】
敷設した誘導管（１）に端部ができた場合、溝（１ａ）を設けていない４５度のソケットの開口部を上向きに接続し、コマ（４）が誘導管（１）より抜け出すのを防ぐと共に、管（１）内に堆積した土砂を排出する排出口として用いる。
【考案の詳細な説明】
【技術分野】
【０００１】  本考案は、ペットがその意思により、繋留されつつも、縦横斜め及び対角方向に移動することを可能にした、繋留のための補助具に関する。
【背景技術】
【０００２】  従来の繋留具は、加工したパイプやワイヤーもしくはレールを使用して、ペットの往復・周回運動を可能にしたものである。
【先行技術文献】
【０００３】
【特許文献】
【特許文献１】  特願平１７−３５３０７９号公報
【特許文献２】  登録実用新案第３０９７１５３号
【特許文献３】  登録実用新案第３０４２７４２号
【特許文献４】  実願平１−１４０５７５号公報
【考案の概要】
【考案が解決しようとする課題】
【０００４】  上記に示した文献のように、従来の繋留具では、直線・曲線的道程の周回・往復運動は可能であるが、対角となる部分を互いに接続するものはなかった。その為、ペットの移動範囲は単調なものとなり、運動の欲求を満たすには、欠落があった。
本考案では、ペットが繋留されていない状態の運動に、より近づけるためのものである。
【課題を解決するための手段】
【０００５】  本考案では、上記課題を解決するために、地表と平行に見た上方に一定の幅の溝（１ａ）を設けた直線状・曲線状の誘導管（１）と、同様に溝（１ａ）を設けた誘導管（１）を接続するＴ字型（２ａ）・Ｘ字型（２ｂ）・Ｉ字型、４５度（２ｄ）のような１８０度以下の屈曲型の接続ソケット（２）を、地形の起伏に合わせて接続角度を変えて組み合わせることにより、対角を結び、それを地中に２分の１程度埋設する。
そして誘導管（１）及びソケット（２）を複数本の杭（３）にて地面（５）に固定する。
更に管（１）の内部には、溝（１ａ）を移動させるべく、一端にペットの体を繋ぎとめる繋留紐を接続できるフック（４ａ）を有し、他端には、管（１）の内径よりも小さく、かつ、溝（１ａ）の幅よりも直径の大きな球状の物体（４ｃ）を付した、円柱状の軸（４ｂ）のコマ（４）を入れ、そのコマ（４）をペットにけん引させることにより、達成される。
【考案の効果】
【０００６】  本考案は、上記の構成から成るので、以下に示す効果が期待できる。
１．誘導管（１）とソケット（２）の組み合わせ方により、ペットの行動範囲を多様に設けることができる。
２．法面を伴う起伏のある地形においても、ソケット（２）の取り付け角度を変えることで、誘導管（１）を敷設することが可能になる。
３．従来の繋留具よりもペットの活動範囲が広がり、かつ、複雑になり、繋留されていない状態の運動に近づく。
【考案を実施するための最良の形態】
【０００７】  以下、本考案を実施するための最良の形態を、図面に照らして説明する。
［図１］に示すように、上部に溝（１ａ）を設けた誘導管（１）を、［図３〜１０］で示したソケット（２）を使い、地形の起伏に合わせた角度でそれぞれの接続部をネジなど強固な資材で固定する。
管（１）を２分の１程度埋設し、杭（３）にて全体を地面（５）に固定する。
固定した管（１）に、［図２］で断面を示した形状のコマ（４）を入れ、繋留紐を使用して、ペットとコマ（４）を繋ぎ、けん引させる。
［図１］のように、軌道が環状ではない構造の誘導管（１）の末端部には、溝（１ａ）を設けていない４５度の屈曲型ソケットを、開口部を上向きに接続し、コマ（４）が誘導管（１）から抜けなくする。
ここで開口部を上向きに設置するのは、上砂が端部より管（１）内に侵入するのを防ぎ、かつ、管（１）内に堆積した土砂を、溝（１ａ）から圧力をかけた水を吹き付けることによって吐き出すためである。
【図面の簡単な説明】
【０００８】  本考案の実施例は、図面に基づいて説明される。
【図１】は、実施例の中の１例を取り上げた全体の平面図である。
【図２】は、誘導管（１）、杭（３）、地面（５）及びコマ（４）の関係を示す断面図である。
【図３】は、Ｔ字型ソケット（２ａ）の平面図である。
【図４】は、Ｔ字型ソケット（２ａ）の斜視図である。
【図５】は、Ｘ字型ソケット（２ｂ）の平面図である。
【図６】は、Ｘ字型ソケット（２ｂ）の斜視図である。
【図７】は、９０度屈曲型ソケット（２ｃ）の平面図である。
【図８】は、９０度屈曲型ソケット（２ｃ）の斜視図である。
【図９】は、４５度屈曲型ソケット（２ｄ）の平面図である。
【図１０】は、４５度屈曲型ソケット（２ｄ）の斜視図である。
【符号の説明】
【０００９】１    誘導管
１ａ  溝
２    接続ソケット
２ａ  Ｔ字型ソケット
２ｂ  Ｘ字型ソケット
２ｃ  ９０度屈曲型ソケット
２ｄ  ４５度屈曲型ソケット
３    杭
４    繋留コマ
４ａ  フック
４ｂ  軸
４ｃ  球状の物体
５    地面
【図１】
0003153098.tif 000003
【図２】
0003153098.tif 000004
【図３】
0003153098.tif 000005
【図４】
0003153098.tif 000006
【図５】
0003153098.tif 000007
【図６】
0003153098.tif 000008
【図７】
0003153098.tif 000009
【図８】
0003153098.tif 000010
【図９】
0003153098.tif 000011
【図１０】
0003153098.tif 000012
【手続補正書】
【提出日】平成21年5月29日(2009.5.29)
【手続補正１】
【補正対象書類名】実用新案登録請求の範囲
【補正対象項目名】全文
【補正方法】変更
【補正の内容】
【実用新案登録請求の範囲】
【請求項１】
一定の幅で上部に溝（１ａ）を設けた直線・曲線状の誘導管（１）と、これを互いに接続する接続ソケット（２）、誘導管（１）と接続ソケット（２）を地面（５）に固定する杭（３）、誘導管（１）の溝（１ａ）をペットにけん引させることにより移動させるコマ（４）を用いることで、対角となる誘導管（１）を互いに結ぶというような、行動範囲を多様に設けることができるペットの自律移動式繋留補助具。
【請求項２】
誘導管（１）に対して接続ソケット（２）の接続角度を変えることにより、地形の起伏に合わせてペットの行動範囲を設定できることを特徴とする請求項１記載のペットの自律移動式繋留補助具。
【請求項３】
敷設した誘導管（１）に端部ができた場合、溝（１ａ）を設けていない４５度のソケットの、開口部を上向きに接続し、コマ（４）が誘導管（１）より抜け出すのを防ぐと共に、誘導管（１）内に堆積した土砂を排出する排出口として用いることを特徴とする請求項１記載のペットの自律移動式繋留補助具。